(57)【要約】【課題】  従来は、脱臭フィルタに吸着した臭い成分を荷電部よりプラズマ状態を作り、反応性に富んだラジカルを生成することによって有害ガスを分解し脱臭性能の向上を図った。この構成の場合荷電部で集塵はするもののその浮遊粉塵を捕集する捕集効率が悪く、コストがあがるという問題があった。【解決手段】  この発明の空気清浄装置は、荷電部と集塵部が設けられ、荷電部で室内の浮遊粉塵を帯電させ、荷電部で帯電した浮遊粉塵を捕集する集塵部からなる電気式空気清浄装置において、荷電部はＧＮＤに落とした平板電極とこの平板電極に対してプラスまたはマイナスの高電圧を印加する放電電極からなり、前記荷電部での空気流の下流側において空気流に沿う面に臭いの吸着面を有する脱臭フィルタを備え、前記脱臭フィルタの空気流の下流側にプラスまたはマイナスを印加する半絶縁樹脂とＧＮＤに落とした導電樹脂を交互に配置した集塵部を設けた構成。【選択図】        図３
2005138034.tif 000002
【特許請求の範囲】
【請求項１】
荷電部と集塵部が設けられ、荷電部で室内の浮遊粉塵を帯電させ、荷電部で帯電した浮遊粉塵を捕集する集塵部からなる電気式空気清浄装置において、荷電部はＧＮＤに落とした平板電極とこの平板電極に対してプラスまたはマイナスの高電圧を印加する放電電極からなり、前記荷電部での空気流の下流側において空気流に沿う面に臭いの吸着面を有する脱臭フィルタを備え、前記脱臭フィルタの空気流の下流側にプラスまたはマイナスを印加する半絶縁樹脂とＧＮＤに落とした導電樹脂とを交互に配置した集塵部を設けた空気清浄装置。
【請求項２】
荷電部と集塵部が設けられ、荷電部で室内の浮遊粉塵を帯電させ、荷電部で帯電した浮遊粉塵を捕集する集塵部からなる電気式空気清浄装置において、荷電部はＧＮＤに落とした平板電極とこの平板電極に対してプラスまたはマイナスの高電圧を印加する放電電極からなり、前記荷電部での空気流の下流側において空気流に沿う面に臭いの吸着面を有する脱臭フィルタを備え、前記脱臭フィルタの空気流の下流側にプラスまたはマイナスを印加する半絶縁樹脂とＧＮＤに落とした導電樹脂とを交互に配置した集塵部を設け、かつ前記脱臭フィルタを不燃性部材より構成したことを特徴とする空気清浄装置。
【請求項３】
荷電部と集塵部が設けられ、荷電部で室内の浮遊粉塵を帯電させ、荷電部で帯電した浮遊粉塵を捕集する集塵部からなる電気式空気清浄装置において、荷電部はＧＮＤに落とした平板電極とこの平板電極に対してプラスまたはマイナスの高電圧を印加する放電電極からなり、前記荷電部での空気流の下流側において空気流に沿う面に臭いの吸着面を有する脱臭フィルタを備え、前記脱臭フィルタの表面抵抗値を１０３ＭΩ以上にしたを特徴とする請求項１記載の空気清浄装置。
【請求項４】
荷電部と集塵部が設けられ、荷電部で室内の浮遊粉塵を帯電させ、荷電部で帯電した浮遊粉塵を捕集する集塵部からなる電気式空気清浄装置において、荷電部はＧＮＤに落とした平板電極とこの平板電極に対してプラスまたはマイナスの高電圧を印加する放電電極からなり、前記荷電部の空気流の下流側に空気流に沿う面に臭いの吸着面を有する脱臭フィルタを備え、前記捕集フィルタに活性炭、ゼオライト及び脱臭作用のある添着剤のうち少なくともいずれか１つを含ませたことを特徴とする請求項１記載の空気清浄装置。
【請求項５】
荷電部と集塵部が設けられ、荷電部で室内の浮遊粉塵を帯電させ、荷電部で帯電した浮遊粉塵を捕集する集塵部からなる電気式空気清浄装置において、ＧＮＤに落とした平板電極とこの平板電極に対してプラスまたはマイナスの高電圧を印加する放電電極からなり、前記荷電部でコロナ放電によりプラズマを発生させると共に、前記荷電部の空気流の下流側に空気流に沿う面に臭いの吸着面を有する脱臭フィルタを備え、前記捕集フィルタに酸化チタン等の光触媒、酸化マンガン等の金属イオン触媒等の触媒を備えたことを特徴とする請求項１記載の空気清浄装置。
【請求項６】
荷電部と集塵部が設けられ、荷電部で室内の浮遊粉塵を帯電させ、荷電部で帯電した浮遊粉塵を捕集する集塵部からなる電気式空気清浄装置において、ＧＮＤに落とした平板電極とこの平板電極に対してプラスまたはマイナスの高電圧を印加する放電電極からなる荷電部を設け、前記荷電部での空気流の下流側において空気流に沿う面に臭いの吸着面を有する脱臭フィルタを備え、前記脱臭フィルタの空気流の下流側に、ＧＮＤに落とした表面抵抗値が１０６Ω以下の導電樹脂とプラスまたはマイナスを印加する表面抵抗値が１０１０〜１０１３Ω程度の半絶縁樹脂を交互に配置した集塵部を設けたことを特徴とする請求項１〜５のいずれかに記載の空気清浄装置。
【請求項７】
荷電部と集塵部が設けられ、荷電部で室内の浮遊粉塵を帯電させ、荷電部で帯電した浮遊粉塵を捕集する集塵部からなる電気式空気清浄装置において、ＧＮＤに落とした平板電極とこの平板電極に対してプラスまたはマイナスの高電圧を印加する放電電極からなり空気流の前記熱交換器の上流側に設けた荷電部は、平板電極または放電電極の少なくともいずれか１つを荷電部を構成する枠樹脂と一体に成型したことを特徴とする空気清浄装置。
【請求項８】
荷電部と集塵部が設けられ、荷電部で室内の浮遊粉塵を帯電させ、荷電部で帯電した浮遊粉塵を捕集する集塵部からなる電気式空気清浄装置において、ＧＮＤに落とした平板電極とこの平板電極に対してプラスまたはマイナスの高圧電源を印加する放電電極からなり空気流の前記熱交換器の上流側に設けた荷電部に対し、前記荷電部での空気流の下流側において空気流に沿う面に臭いの吸着面を有する脱臭フィルタを備え、前記脱臭フィルタでの空気流の下流側にプラスまたはマイナスを印加する半絶縁樹脂とＧＮＤに落とした導電樹脂を交互に配置した集塵部を設けた空気清浄装置において、平板電極と集塵部の導電樹脂と、プラスまたはマイナスの高圧電源を印加する放電電極と半絶縁樹脂とを接するようにしたことを特徴と請求項１乃至請求項７記載の空気清浄装置。
【請求項９】
室内から吸入した空気を熱交換器で加熱または冷却し室内へ吹き出し室内の温湿度調整を行う空気調和機において、ＧＮＤに落とした平板電極とこの平板電極に対してプラスまたはマイナの高電圧を印加する放電電極からなり前記熱交換器の上流側に設けた荷電部に対し、前記荷電部での空気流の下流側において空気流に沿う面に塵埃及び臭いの吸着面を有する脱臭フィルタを備え、前記脱臭フィルタでの空気流の下流側にプラスまたはマイナスを印加する導電樹脂とＧＮＤに落とした導電樹脂を交互に配置した集塵部を設けたことを特徴とする空気清浄装置付き空気調和機。
【請求項１０】
室内から吸入した空気を熱交換器で加熱または冷却し室内へ吹き出し、室内の温湿度調整を行う空気調和機において、ＧＮＤに落とした平板電極とこの平板電極に対してプラスまたはマイナの高電圧を印加する放電電極からなり前記熱交換器の上流側に設けた荷電部に対し、前記荷電部での空気流の下流側において空気流に沿う面に塵埃及び臭いの吸着面を有する脱臭フィルタを備え、前記空気調和機に室内の空気を排気する換気装置を設けたことを特徴とする請求項９記載の空気清浄装置付き空気調和機。
【請求項１１】
室内から吸入した空気を熱交換器で加熱または冷却し室内へ吹き出し、室内の温湿度調整を行う空気調和機において、ＧＮＤに落とした平板電極とこの平板電極に対してプラスまたはマイナスの高電圧を印加する放電電極からなり前記熱交換器の上流側に設けた荷電部に対し、前記荷電部での空気流の下流側において空気流に沿う面に塵埃及び臭いの吸着面を有する脱臭フィルタを備え、前記空気調和機に室内に抗酸化物質を放出する機構を設けたことを特徴とする請求項９記載の空気清浄装置付き空気調和機。
【発明の詳細な説明】
【技術分野】
【０００１】
この発明は、空気清浄装置とその空気清浄装置を具備した空気調和機に関するものである。
【背景技術】
【０００２】
従来の、空気清浄装置は、清浄化すべき空気の流れ方向から荷電部、脱臭フィルタ、コレクタ電極を含む電気集塵部、脱臭部フィルタが活性炭から構成がある（例えば、特許文献１参照）
【０００３】
また、従来の、空気清浄装置は、平板電極とこの平板電極に対してプラスまたはマイナの高電圧を印加する放電電極からなり、空気流の前記熱交換器の上流側に設けた荷電部に対し、前記荷電部での空気流の下流側において空気流に沿う面に塵埃及び臭いの吸着面を有する捕集フィルタを備えている。（例えば、特許文献２参照。）。
【０００４】
また、荷電部を上流に設け、前期荷電部の下流に集塵部を設けた２段式電気集塵装置がある（例えば、非特許文献１参照。）。
【０００５】
【特許文献１】特開平９−１３１５４８号公報（第３頁、図３）
【特許文献２】特開２００３−０６５５９３号公報（第４頁、図１）
【非特許文献１】静電気学会「静電気ハンドブック」オーム社、昭和５６年５月３０日  第１版第１刷発行、ｐ.４７３−５５５
【発明の開示】
【発明が解決しようとする課題】
【０００６】
従来の荷電部を上流に設け、その下流に脱臭フィルタを設けた空気清浄装置の場合、脱臭フィルタに吸着した臭い成分を荷電部よりプラズマ状態を作り、反応性に富んだラジカルを生成することによって、有害ガスを分解し脱臭性能の向上、捕集フィルタの脱臭効果期間を延長効果がある。この構成の場合荷電部で集塵はするものの、その浮遊粉塵を捕集する捕集効率が悪く、結果として、別途空気清浄フィルタを設けコストがあがるという問題があった。
【０００７】
また、捕集フィルタに脱臭フィルタではなく、集塵フィルタを用いた場合や、荷電部と集塵部を持つ２段式電気集塵機においては、室内の浮遊粉塵を捕集する集塵効率は向上するが、室内の有害ガスを除去する能力が無くなるという問題があった。
【０００８】
この発明は、上記のよう課題を解決するためになされたもので、第１の目的は、荷電部よりプラズマ状態を作り、反応性に富んだラジカルを生成することによって、空気中の有害ガスを分解し脱臭性能の向上、及び脱臭フィルタに吸着した有害ガスを分解し、脱臭効果期間の延長効果をもたせ、かつ、集塵部で効率良く捕集することができる空気清浄装置を得るものである。
【０００９】
また、第２の目的は、荷電部の放電電極と平板電極間にホコリが蓄積されかつ火花放電が生じた場合でも不燃状態を保つことができる空気清浄装置を得るものである。
【００１０】
また、第３の目的は、放電電極と平板電極以外の放電電極と脱臭フィルタもしくは集塵部もしくは熱交換器との放電を抑制することができ、プラズマ生成及び、浮遊粉塵を帯電させるための必要以上の電流を流すことを防ぐことのでき小型化、薄型の空気清浄装置を得るものである。
【００１１】
また、第４の目的は、室内の有害ガスを捕集し、空気流の上流に設けられた荷電部より生成される、反応性の富んだラジカルにより有害ガスを分解し脱臭フィルタの性能を持続することができる空気清浄装置を得るものである。
【００１２】
また、第５の目的は空気流の上流に設けられた荷電部より生成される、反応性の富んだラジカルによる有害ガスを分解し、加えフィルタの触媒作用によりさらに有害ガスを分解することができ、脱臭フィルタ性能の持続をさらに延命することができる空気清浄装置を得ることができる。
【００１３】
また、第６の目的は樹脂表面をＧＮＤ状態と高電位状態にし、樹脂間に静電界生じさせ帯電粒子を効率良く捕集するとともに、高電圧側に半絶縁樹脂を用いることで樹脂間距離を狭くした場合でも樹脂間での放電は生じない安全かつ複雑な形状に成型することができる空気清浄装置の集塵部を得るものである。
【００１４】
また、第７の目的は放電電極と、平板電極との距離の組み立てバラツキを最小限に抑えかつ、組み立てを容易にすることができる空気清浄装置を得るものである。
【００１５】
また、第８の目的は構成部品点数が少なく、低コストな空気清浄装置を得るものである。
【００１６】
また、第９の目的は浮遊粉塵・有害ガスの除去を行え快適な生活空間を生成する空気清浄装置付き空気調和機を得るものである。
【００１７】
また、第１０の目的は室内の温湿度調整・脱臭フィルタで除去することのできない、二酸化炭素や一酸化炭素の室外排出機能に加え、浮遊粉塵・有害ガスの除去を行えさらに快適な生活空間を生成する空気清浄装置付き空気調和機を得るものである。
【００１８】
また、第１１の目的は肌細胞を酸化させるＮＯｘ等の有害ガスを本発明の空気清浄装置で除去しつつ、さらにローズマリー等の抗酸化物質を放出し、放出した抗酸化物質が肌の細胞に接触することで肌の酸化を防止することができる空気清浄装置付き空気調和機を得ることができる。
【課題を解決するための手段】
【００１９】
この発明に係る空気清浄装置は、荷電部と集塵部が設けられ、荷電部で室内の浮遊粉塵を帯電させ、荷電部で帯電した浮遊粉塵を捕集する集塵部からなる電気式空気清浄装置において、荷電部はＧＮＤに落とした平板電極とこの平板電極に対してプラスまたはマイナスの高電圧を印加する放電電極からなり、前記荷電部での空気流の下流側において空気流に沿う面に臭いの吸着面を有する脱臭フィルタを備え、前記脱臭フィルタの空気流の下流側にプラスまたはマイナスを印加する半絶縁樹脂とＧＮＤに落とした導電樹脂とを交互に配置した集塵部を設けたものである。
【００２０】
また、この発明の空気清浄装置付き空気調和機は、室内から吸入した空気を熱交換器で加熱または冷却し室内へ吹き出し室内の温湿度調整を行う空気調和機において、ＧＮＤに落とした平板電極とこの平板電極に対してプラスまたはマイナスの高電圧を印加する放電電極からなり前記熱交換器の上流側に設けた荷電部に対し、前記荷電部での空気流の下流側において空気流に沿う面に塵埃及び臭いの吸着面を有する脱臭フィルタを備え、前記脱臭フィルタでの空気流の下流側にプラスまたはマイナス前記空気清浄装置を空気調和機室内機の熱交換器上流に設けたものである。
【発明の効果】
【００２１】
この発明の空気清浄装置は、ＧＮＤに落とした平板電極とこの平板電極に対してプラスまたはマイナスの高電圧を印加する放電電極からなる荷電部と、前記荷電部の空気流の下流側において空気流に沿う面に臭いの吸着面を有する脱臭フィルタを備え、前記脱臭フィルタの空気流の下流側にプラスまたはマイナスを印加する半絶縁樹脂とＧＮＤに落とした導電樹脂を交互に配置しする構成にすることで、荷電部の電極間でのコロナ放電によりプラズマ状態を作り、反応性に富んだラジカルを生成することによって、空気中の有害ガスを分解し脱臭性能を向上すると共に脱臭フィルタに吸着した有害ガスを分解し、脱臭フィルタの脱臭効果期間の延長効果をもち、かつ、集塵部の半絶縁樹脂と導電樹脂に生じた静電界により帯電した粒子は、高電圧を印加した半絶縁樹脂側で反発し、ＧＮＤに落とした導電樹脂に吸引され効率良く浮遊粉塵を導電樹脂に集塵することができるという効果を有する。
【００２２】
また、この発明の空気清浄装置付き空気調和機は、室内から吸入した空気を熱交換器で加熱または冷却し室内へ吹き出し室内の温湿度調整を行う空気調和機において、ＧＮＤに落とした平板電極とこの平板電極に対してプラスまたはマイナスの高電圧を印加する放電電極からなり前記熱交換器の上流側に設けた荷電部に対し、前記荷電部での空気流の下流側において空気流に沿う面に塵埃及び臭いの吸着面を有する脱臭フィルタを備え、前記脱臭フィルタでの空気流の下流側にプラスまたはマイナス前記空気清浄装置を空気調和機室内機の熱交換器上流に設けることで、加熱または冷却し室内へ吹き出し、室内の温湿度を調整する空気調和機の基本機能に加え、室内の粉塵や有害ガスを除去し快適な室内空間が生成するころができるという効果を有する。
【発明を実施するための最良の形態】
【００２３】
実施の形態１．
図１はこの発明の実施の形態１における空気清浄装置の断面図、図２はこの発明の実施の形態１における空気清浄装置の要部拡大断面図、図３はこの発明の実施の形態１における空気清浄装置の分解斜視図、図４は放電電極部を前外枠に組込んだ状態の斜視図、図５は放電電極部の斜視図、図６は平板電極部を後外枠に組込んだ状態の斜視図である。図において、空気清浄装置１は前外枠１０、後外枠１１がありグランド（以降ＧＮＤと称す）に落とした板金の打ち抜きで成型された平板電極２とこの平板電極２に並列にプラスまたはマイナの高電圧を印加する板金の打ち抜きで成型された放電電極３からなる荷電部４と、前記荷電部４の空気流の下流側において空気流に沿う面に臭いの吸着面を有する不燃性部材より成る脱臭フィルタ５の表面抵抗値を１０３ＭΩ以上で備え、前記脱臭フィルタ５の空気流の下流側にＧＮＤに落とした表面抵抗値が１０６Ω以下の導電樹脂７と、プラスまたはマイナスの高電圧を印加する表面抵抗値が１０１０〜１０１３Ω程度の半絶縁樹脂６を交互に配置し、前記荷電部４で室内の浮遊粉塵を帯電させ、荷電部４で帯電させた浮遊粉塵を捕集する集塵部８で構成されている。
【００２４】
また、図４、図６に示す様に放電電極部１０ａまたは、平板電極部１１ａは空気清浄装置１の前外枠１０または後外枠１１と一体的に成型で構成されている。
【００２５】
次に動作について説明する。このように構成された空気清浄装置１においては、荷電部４の平板電極２と放電電極３の間でのコロナ放電によりプラズマ状態を作り、反応性に富んだラジカルを生成することによって、空気中の有害ガスを分解し脱臭性能の向上すると共に脱臭フィルタ５に吸着させた有害ガスを分解し、脱臭フィルタ５の脱臭効果期間の延長効果をもたせ、かつ、集塵部８の導電樹脂６と半絶縁樹脂７に生じた静電界により帯電した粒子は、高電圧を印加した半絶縁樹脂６側で反発し、ＧＮＤに落とした導電樹脂７に吸引され効率良く浮遊粉塵を導電樹脂７に集塵することができる。
【００２６】
また、荷電部４の平板電極２と放電電極３間にホコリが蓄積されかつ、電極の変形等による異常モードで火花放電が生じた場合、脱臭フィルタ５をセラミック等の不燃性部材にすることでこの空気清浄装置１を取り入れる機器の燃焼の発生を抑えことができる。
【００２７】
また、不燃性部材から成る脱臭フィルタ５の表面抵抗値を１０３ＭΩ以上することによって、平板電極２と放電電極３間の放電ではなく放電電極３から脱臭フィルタ５もしは、集塵部８の導電性樹脂６への放電を抑制することができるため、空気清浄装置１を薄型化することができ、さらに、荷電部４でのプラズマ生成や浮遊粉塵を帯電させるために必要な電流以上を流すことを防ぐことができ、少量の電流しか流さないため、蓄積されたホコリを燃焼させるだけのパワーを小さくすると共に、高電圧発生基板が小型化することができる。
【００２８】
また、前記不燃性部材から成る脱臭フィルタ５を安価な活性炭、ゼオライト及び脱臭作用のある添着剤のうち少なくともいずれか１つを含ませて用いることで、室内の有害ガスを捕集し、空気流の上流に設けられた荷電部４より生成される、反応性の富んだラジカルにより有害ガスを分解し脱臭フィルタ５の性能を高性能に持続することができる。
【００２９】
また、さらに前記不燃性部材から成る脱臭フィルタ５に高価な酸化チタン等の光触媒、酸化マンガン等の金属イオン触媒等の捕集した臭気成分を分解する触媒を用いることで、荷電部４より生成される、反応性の富んだラジカルによる有害ガスの分解に加え、脱臭フィルタ５の触媒作用によりさらに有害ガスを分解することができ、脱臭フィルタ５の性能を高性能に持続させ、さらに長寿命に延命させることができる。
【００３０】
また、集塵部８においては、ＧＮＤに落とした表面抵抗値が１０６Ω以下の導電樹脂７と、プラスまたはマイナスの高電圧を印加する表面抵抗値が１０１０〜１０１３Ω程度の半絶縁樹脂６を用いることで、樹脂表面をＧＮＤ状態と高電位状態にし、樹脂間に静電界生じさせ帯電粒子を効率良く捕集するとともに、高電圧側に半絶縁樹脂６を用いることで樹脂間距離を狭くした場合でも樹脂間での放電は生じないため、安全かつ複雑な形状に成型することができる。
【００３１】
また、荷電部４においては、ＧＮＤに落とした平板電極２または、プラスまたはマイナスの高電圧を印加する放電電極３の少なくともいずれか一方を空気清浄装置を構成する前外枠１０、後外枠１１とインモールド成型によって、放電電極部１０ａと、平板電極部１１ａを成型することで電極間距離の組み立てバラツキを最小限に抑えかつ、空気清浄装置の組み立てを容易にすることができる。
【００３２】
また、荷電部９の板金の打ち抜きで成型された平板電極２は放電電極３と、それらの片方端面を集塵部２０の樹脂と接するよう板金を切り起こすことで、構成部品点数が少なく、低コストな空気清浄装置を得ることができる。
【００３３】
実施の形態２．
以上の実施の形態１では、この発明の空気清浄装置についてのものであるが、次に前記空気清浄装置を空気調和機の空気性能機能として取り入れる場合の実施の形態２を説明する。図８はこの発明の空気清浄装置付き空気調和機を示す断面図、図９は空気調和機室内機の前面パネルとプレフィルタを外した状態で示す正面図である。図において、空気調和機本体１２は空気吸込口１３をそれぞれ備えた前面パネル１４及び上面パネル１５と空気吹出口１６を設け、熱交換器１７と送風機１８を内蔵している。そしてプレフィルタ１９を前記熱交換器１７と前面パネル１４、上面パネル１５との間に配置している。又この空気調和機１２内には空気清浄装置１と抗酸化物質放出機構２０とを前記熱交換器１７の前面にそれぞれ並べて配置されている。
【００３４】
以上のように、空気調和機室内機１２にこの発明の空気清浄装置１を配置するようにしているので、室内から吸入した空気は、熱交換器１７を通過する前に、この発明の空気清浄装置１を設けることで、空気調和機１２で加熱または冷却し室内へ吹き出し、室内の温湿度を調整する空気調和機１２の基本機能に加え、室内の粉塵や有害ガスを除去する空気清浄装置１を持つことができる。
【００３５】
図１０の空気調和機は、空気調和機室内機の前面パネルを外した状態で示した斜視図である。空気調和機室内機１２の熱交換器１７間に配置し、前記熱交換器１７の前面に入口に小フィルタ２１ａを備えた空気吸込み口２１ｂが延びる換気装置２１を配置して構成している。
【００３６】
図１１は、この発明の他の実施の形態における空気清浄装置を組込んだ空気調和機と室外機とを示す構成図である。図において、壁面２２に据付られた空気調和機１２には空気清浄装置１、熱交換器１７および送風機１８が内蔵され、この空気調和機１２と冷媒配管２３で接続され、室外に配置された空気調和機の室外機２４を設け、かつこの室外機２４内には、換気装置２１を配置し、前記空気調和機１２側に空気吸込み口（図示されていない）を配置した空気排出管２５と連通して構成している。
【００３７】
したがって、この発明の空気清浄装置付き空気調和機の室内機又は室外機に室内の空気を排気する換気装置を配置することで、空気清浄装置１で除去することができない、二酸化炭素や一酸化炭素ガスを排出することができ、快適な生活空間を生成する空気清浄装置付き空気調和機を得ることができる。
【００３８】
さらに、室内にローズマリー等の抗酸化物質を放出する機構２０を設けた空気調和機にこの発明の空気清浄装置１を配置することで、空気清浄装置１で肌細胞を酸化させるＮＯｘ等の有害ガスを除去しつつ、さらに抗酸化物質を室内に放出することで、放出された抗酸化剤が肌細胞に接触し、より肌細胞の酸化を防ぐとができる。
【図面の簡単な説明】
【００３９】
【図１】この発明の実施の形態１における空気清浄装置の断面図、図４は図５は放電電極部の斜視図、図６は組込んだ状態の斜視図である。
【図２】この発明の実施の形態１における空気清浄装置を示す要部拡大断面図である。
【図３】この発明の実施の形態１における空気清浄装置の分解斜視図である。
【図４】この発明の実施の形態１における空気清浄装置の放電電極部を前外枠に組込んだ状態の斜視図を示す斜視図である。
【図５】この発明の実施の形態１における空気清浄装置の放電電極部を示す斜視図である。
【図６】この発明の実施の形態１における空気清浄装置の平板電極部を後外枠に組込んだ状態を示す斜視図である。
【図７】この発明の実施の形態１における空気清浄装置の平板電極部を示す斜視図である。
【図８】この発明の実施の形態２における空気清浄装置を組込んだ空気調和機を示す断面図である。
【図９】この発明の実施の形態２における空気清浄装置を組込んだ空気調和機の前面パネルを外した状態を示す正面図である。
【図１０】この発明の他の実施の形態における空気清浄装置を組込んだ空気調和機の前面パネルを外した状態を示す斜視図である。
【図１１】この発明の他の実施の形態における空気清浄装置を組込んだ空気調和機と室外機とを示す構成図である。
【符号の説明】
【００４０】
１  空気清浄装置
２  平板電極
３  放電電極
４  荷電部
５  脱臭フィルタ
６  半絶縁樹脂
７  導電樹脂
８  集塵部
１０  前外枠
１１  後外枠
１２  空気調和機
１３  空気吸込口
１６  空気吹出し口
１７  熱交換器
１８  送風機
２０  抗酸物質放出機構
２１  換気装置
２４  室外機。
【図１】
2005138034.tif 000003
【図２】
2005138034.tif 000004
【図３】
2005138034.tif 000005
【図４】
2005138034.tif 000006
【図５】
2005138034.tif 000007
【図６】
2005138034.tif 000008
【図７】
2005138034.tif 000009
【図８】
2005138034.tif 000010
【図９】
2005138034.tif 000011
【図１０】
2005138034.tif 000012
【図１１】
2005138034.tif 000013